(57)【要約】【課題】本考案は、結束体を容易に交換できる結束機における結束体交換装置を提供する。【解決手段】本考案の結束機における結束体の交換装置１Ａは、複数の結束体５が巻き付けられたバンドリール６と、前記バンドリール６から選択される結束体５を送り出すための結束体送り手段８、９、９ａ、１９と、前記バンドリール６から選択される２の結束体５を圧着するための圧着手段１６、１７と、前記２の結束体５を溶融するためのヒータ２０と、前記２の結束体５のうち一方の結束体５を切断するための切断手段２１、２２と、を具備する。【選択図】　　　図５
0003098111.tif 000002
【実用新案登録請求の範囲】
【請求項１】
複数の結束体が巻き付けられたバンドリールと、
前記バンドリールから選択される結束体を送り出すための結束体送り手段と、
前記バンドリールから選択される２の結束体を圧着するための圧着手段と、
前記２の結束体を溶融するためのヒータと、
前記２の結束体のうち一方の結束体を切断するための切断手段と、
を具備することを特徴とする結束機における結束体の交換装置。
【請求項２】
複数の結束体が巻き付けられたバンドリールを備えた結束機において、
前記バンドリールから選択される１の結束体を使用している最中に他の結束体を送り出す結束体送り手段と、
前記送り手段により送り出された他の結束体と前記１の結束体の一部を溶融するためのヒータと、
前記ヒータにより溶融された箇所を圧着するための圧着手段と、
前記圧着位置よりも下流側において前記１の結束体を切断するための切断手段と、
を具備することを特徴とする結束機における結束体の交換装置。
【請求項３】
前記切断手段は、各バンドリールに設けられていることを特徴とする請求項１、又は２に記載の結束機における結束体の交換装置。
【請求項４】
前記結束体の使用状態を検知する検知手段を備え、
前記結束体送り手段は、前記検知手段に基づいて制御されることを特徴とする請求項１、又は２に記載の結束機における結束体の交換装置。
【考案の詳細な説明】
【０００１】
【考案の属する技術分野】
本考案は、全ての産業における梱包結束に関し、特にＰＰバンドを使用する結束機に関する。
【０００２】
【従来の技術】
ＰＰバンドを使用する結束機（以下、「ＰＰバンド結束機」と呼ぶ）は、ＰＰバンド結束機本体に付属するリールホルダにＰＰバンドが巻き付けられたバンドリール（以下、「ＰＰバンドリール」と呼ぶ）が取付けられて使用される。また、ＰＰバンド結束機は、ＰＰバンドを使い終わると一度全てのＰＰバンドをＰＰバンド結束機から引き出した後、リールホルダからＰＰバンドを使い切ったバンドリールを取り外し、新しいＰＰバンドリールを装着した後、再度、使用される。新しいＰＰバンドリールを装着したＰＰバンド結束機は、ＰＰバンドの先端をガイドに従って送り込み、被結束物がない状態で数回空打ちを行い、ＰＰバンドの先端が所定の位置に到達したことを確認した後、再度、使用される。
【０００３】
【考案が解決しようとする課題】
特にオフセット輪転印刷業界では、４ｐ、８ｐ、１６ｐ、３２ｐ等の単位で印刷された印刷折丁の識別が製本工程で容易、且つ、乱丁を防止するため、印刷折丁毎にＰＰバンドの色を変えることが決まりになっている。そのため、ある折の印刷が完了するとＰＰバンドの残量に拘わらずＰＰバンドを指定の色に交換する作業が発生し、この作業が印刷オペレータにとって著しい負担となる問題が生じていた。
【０００４】
さらに、製造ラインと直結しているＰＰバンド結束機の場合、通常、ＰＰバンド結束機にＰＰバンドリールが内蔵されているためＰＰバンドを使い切った後のＰＰバンドリールの交換に手間取ったり、ＰＰバンドリールの交換のために製造ラインが停止したり、ＰＰバンドを使いきったことに気が付かないと製品が結束されないまま排出されたりするなどの問題が有り非効率的であった。
【０００５】
そこで本考案は、結束体を容易に交換できる結束機における結束体の交換装置を提供することを目的とする。
【０００６】
【課題を解決するための手段】
以下、本考案について説明する。なお、本考案の理解を容易にするために添付図面の参照符号を括弧書きにて付記するが、それにより本考案が図示の形態に限定されるものではない。
【０００７】
本考案の結束機における結束体の交換装置（１Ａ）は、複数の結束体（５）が巻き付けられたバンドリール（６）と、前記バンドリールから選択される結束体を送り出すための結束体送り手段（８、９、９ａ、１９）と、前記バンドリールから選択される２の結束体を圧着するための圧着手段（１６、１７）と、前記２の結束体を溶融するためのヒータ（２０）と、前記２の結束体のうち一方の結束体を切断するための切断手段（２１、２２）と、を具備することを特徴とする。
【０００８】
さらに、具体的には、本考案の結束機における結束体の交換装置は、複数の結束体が巻き付けられたバンドリールを備えた結束機において、前記バンドリールから選択される１の結束体を使用している最中に他の結束体を送り出す結束体送り手段と、前記送り手段により送り出された他の結束体と前記１の結束体の一部を溶融するためのヒータと、前記ヒータにより溶融された箇所を圧着するための圧着手段と、前記圧着位置よりも下流側において前記１の結束体を切断するための切断手段と、を具備することを特徴とする。
【０００９】
また、前記切断手段は、各バンドリールに設けられていることを特徴とする。
【００１０】
また、前記結束体の使用状態を検知する検知手段（１１）を備え、前記結束体送り手段は、前記検知手段に基づいて制御されることを特徴とする。
【００１１】
【考案の実施の形態】
以下、本考案である結束機における結束体の交換装置に係る実施の形態について詳細に説明する。図１は結束体の交換装置の平面図、図２は結束体の交換装置の正面図、図３は結束体の交換装置の右側面図、図４は結束体の交換装置の他の実施形態である。また、図５〜図９は結束体の交換作業の状態を示し、図５は接合する結束体を所定位置に配置した状態図、図６は結束体の所定部を溶融している状態図、図７は圧着するとともに一方の結束体を切断した状態図、図８は圧着体を解放した状態図、図９は結束体の交換作業が終了した状態図である。なお、結束体とは、例えば製品を結束するためのバンドをいい、例えば、ＰＰバンドである。なお、図４において、図１〜図３と共通する部分には同一符号を付し、それらの説明は省略する。
【００１２】
この結束体の交換装置１Ａは、図１に示すように、複数のフレーム２、２、・・・、２で枠組みされた本体３と、その本体３に結束体５が巻き付けられたバンドリール６を保持する複数のリールホルダ７、７と、結束体５を後述する交換部１５に搬送するための複数のガイドロール８、８と結束体５の表裏面から押圧しつつ回転させて結束体５を送り出すピンチローラ９、９、ピンチローラ９を駆動するモータ９ａ等から構成される結束体ガイド手段１０と、結束体５の残量を検出するタッチセンサ部１１、１１と、複数のリールホルダ７から選択される２つの結束体５、５を圧着接合して結束体を交換する交換部１５と、各部を制御する制御部（図示なし）と、を備えている。また、リールホルダ７は、図１〜図３に示すように、本体の上部に２つ、下部に２つの計４つ設けられている。また、本体３の底部には、移動可能なように四隅にキャスタ４、４、４、４を備えている。なお、図４に示すように、本体の上・中・下部にそれぞれ２つずつの計６つ設けるようにしてもよい。また、リールホルダ７に設けられるバンドリール６の結束体５は、同色であってもよいし、異色であってもよい。このリールホルダ７に設けられるバンドリール６の結束体５は、使用形態によって、その都度変更できる。また、タッチセンサ部１１は、結束体５の使用状態（残量）を検出する検知手段として機能する。また、制御部は、結束体５の残量が残り少なくなると、ピンチローラ９によって他のリールホルダ７から結束体５を所定の位置に送り出す制御を行う。
【００１３】
交換部１５は、図５に示すように、結束体５の上下方向に設置される圧着体１６、１７と、結束体５を送り出す位置を定めるためのストッパ１８と、結束体５を所定位置に導く複数のガイド１９、１９、・・・、１９と、結束体５を溶融するためのヒータ２０と、ストッパ１８及びヒータ２０を所定位置に移動するための駆動部（図示なし）と、結束体５を押圧して切断するための押圧部２１と切断部２２とを備える切断手段と、を具備している。押圧部２１及び切断部２２は、電磁弁を有し、その電磁弁によって先端が押し出される構造である。押圧部２１は、先端によって結束体５をガイド１９に押し当てて固定する。また、切断部２２は、先端にカッターを備え、結束体５を切断する。また、圧着体１６、１７は２つの結束体を圧着接合する圧着手段として機能する。また、ガイドローラ８、ピンチローラ９、モータ９ａ、ガイド１９は、結束体を送り出すための結束体送り手段として機能する。また、ストッパ１８は、結束体の先端部を圧着体１６の下部又は上部に位置決めするための位置決め手段として機能する。また、切断手段は、各バンドリール６に、且つ該圧着手段の下流側に配置される。
【００１４】
次に、結束体の交換作業について説明する。
【００１５】
この結束体の交換装置１Ａは、例えば、複数のリールホルダ７の中から選択される１つのリールホルダ７に設けられている１の結束体５が使用され使い切る際に、他のリールホルダ７の中から１つのリールホルダ７に設けられている他の結束体５の先端部を１の結束体５の最後尾端部と圧着して接合し、結束体５を交換するものである。なお、リールホルダ７の選択は予め使用するリールホルダ７の順番を設定しておいても良いし、オペレータ等によって任意に選択できるようにしてもよい。本説明においては、予め使用するリールホルダ７の順番が設定されており、制御部によって各部が制御されるものとして説明を行う。
【００１６】
図５に示すように、使用中の結束体５が残り少なくなってくるとタッチセンサ部１１によってその結束体５の使用量が検知され、結束体５が少量になると、他のリールホルダ７の中から１つのリールホルダ７が選択される。制御部は、選択されたリールホルダ７に設けられている結束体５の先端部をピンチローラ９により圧着体１６、１７の下部又は上部まで送る。その際、ストッパ１８が圧着体１６、１７の下部又は上部に水平方向にスライドする。
【００１７】
次に、図６に示すように、一時的に、結束体の交換装置を止め、ヒータ２０が使用中の１の結束体５と選択された他の結束体との間に挿入される。次に、ヒータ２０と１及び他の結束体５とが直接接するように圧着体１６、１７がそれぞれ上下方向に閉まるように動く。これにより、１及び他の結束体５とヒータ２０とが接触する部分が溶融される。ヒータ２０は、１及び他の結束体の間に挿入されてから所定の時間経過すると、ヒータ２０は水平方向にスライド（駆動）する。
【００１８】
次に、図７に示すように、圧着体１６、１７がそれぞれ更に上下方向に閉まり、１及び他の結束体５を圧着して接合する。また、圧着体１６、１７が１及び他の結束体５を圧着している間に１の結束体５をガイド１９に押しつけるための結束体押さえ（押圧部２１の先端）が、電磁弁により上方向に動くように制御され、１の結束体５を押圧するとともに、カッター（切断部２１の先端）が、電磁弁により上方向に動くように制御され、１の結束体５を切断する。
【００１９】
次に、図８に示すように、圧着体１６、１７がそれぞれ上下方向に開く。この時、今まで使用されていた結束体５は所定位置で切断されている。
【００２０】
次に、図９に示すように、結束体の交換装置１Ａを駆動し、結束体５の交換作業が終了する。
【００２１】
その後、オペレータは、１の結束体５が設けられているバンドリール６をリールホルダ７から取り外し、新しい結束体５が設けられているバンドリール６をリールホルダ７に装着する。また、結束体５の先端はガイド１９に沿ってピンチローラ９に到達するまで手動にて送り込む。
【００２２】
また、この結束体の交換装置１Ａは、例えば、複数のリールホルダ７の中から選択される１つのリールホルダ７に設けられている１の結束体５が使用されている状態で、他のリールホルダ７の中から１つのリールホルダ７に設けられている他の結束体５を１の結束体５と圧着して接合し、結束体５を交換するようにしてもよい。
【００２３】
以上に説明したように、本考案の結束機における結束体の交換装置１Ａは、複数の結束体５が巻き付けられたバンドリール６と、複数のバンドリール６から選択される結束体５を送り出すための結束体送り手段としてのガイドローラ８、ピンチローラ９、モータ９ａ、ガイド１９と、前記バンドリール６から選択される２の結束体を圧着するための圧着体１６、１７と、前記２の結束体を溶融するためのヒータ２０と、前記２の結束体のうち一方の結束体を切断するための切断手段としての押圧部２１と切断部２２と、を具備する。さらに、具体的には、結束機における結束体の交換装置１Ａは、複数の結束体５が巻き付けられたバンドリール６を備えた結束機において、複数のバンドリール６から選択される１の結束体を使用している最中に他の結束体を送り出す結束体送り手段としてのガイドローラ８、ピンチローラ９、モータ９ａ、ガイド１９と、前記送り手段により送り出された他の結束体と前記１の結束体の一部を溶融するためのヒータ２０と、ヒータ２０により溶融された箇所を圧着するための圧着体１６、１７と、圧着位置よりも下流側において前記１の結束体を切断するための切断手段としての押圧部２１と切断部２２と、を具備することを特徴とする。また、前記切断手段は、各バンドリール６に設けられていることを特徴とする。また、前記結束体５の使用状態を検知する検知手段としてのタッチセンサ部１１を備え、前記結束体送り手段は、前記検知手段に基づいて制御される。
【００２４】
このようにすれば、自動的に予備のリールから新しい結束体を送り出して使用中の結束体に新しい結束体を圧着接合して結束体を交換するので、結束体の交換作業におけるオペレータの負担が軽減できるとともに、製造効率を上げることが可能となる。
【図面の簡単な説明】
【図１】本考案である結束体の交換装置の平面図である。
【図２】結束体の交換装置の正面図である。
【図３】結束体の交換装置の右側面図である。
【図４】結束体の交換装置の他の実施形態である。
【図５】結束体の交換作業の状態を示し、接合する結束体を所定位置に配置した状態図である。
【図６】結束体の交換作業の状態を示し、結束体の所定部を溶融している状態図である。
【図７】結束体の交換作業の状態を示し、圧着するとともに一方の結束体を切断した状態図である。
【図８】結束体の交換作業の状態を示し、圧着体を解放した状態図である。
【図９】結束体の交換作業の状態を示し、結束体の交換作業が終了した状態図である。
【符号の説明】
１Ａ　結束体の交換装置
５　結束体
６　バンドリール
８　結束体送り手段（ガイドローラ）
９　結束体送り手段（ピンチローラ）
９ａ　結束体送り手段（モータ）
１１　検知手段（タッチセンサ部）
１６、１７　圧着体
１９　結束体送り手段（ガイド）
２０　ヒータ
２１　切断手段（押圧部）
２２　切断手段（切断部）
【図１】
0003098111.tif 000003
【図２】
0003098111.tif 000004
【図３】
0003098111.tif 000005
【図４】
0003098111.tif 000006
【図５】
0003098111.tif 000007
【図６】
0003098111.tif 000008
【図７】
0003098111.tif 000009
【図８】
0003098111.tif 000010
【図９】
0003098111.tif 000011